(57)【要約】      （修正有）【課題】放射能が付着した大量の放射能汚染物質を一時的もしくは短〜中期的に保管するための安価な鉄筋コンクリート製角型保管容器を提供する。【解決手段】収納空間の容積が１ｍ３以上の鉄筋コンクリート製角型保管容器であって、底部と側壁部とを一体成形してなる上面開口で鉄筋コンクリート製の容器本体と、開口に蓋をするための鉄筋コンクリート製蓋体と、容器本体の側壁部外面と蓋体の側面に埋め込まれたインサートに対しボルトで固定するこにより、蓋体を容器本体に固定するための複数の連結プレートを備える。容器本体における底部と側壁部及び蓋体の各最小厚が１３〜１８ｃｍである。【選択図】図１
0003173433.tif 000002
【実用新案登録請求の範囲】
【請求項１】
放射能汚染物質を一時的もしくは短〜中期的に保管するための収納空間の容積が１ｍ３以上の鉄筋コンクリート製角型保管容器であって、底部と側壁部とを一体成形してなる上面開口で鉄筋コンクリート製の容器本体と該開口に蓋をするための鉄筋コンクリート製蓋体と前記蓋体を前記容器本体に固定するための複数の連結プレートを備え、前記容器本体における底部と側壁部及び蓋体の各最小厚が１３〜１８ｃｍであることを特徴とする鉄筋コンクリート製角型保管容器。
【請求項２】
前記容器本体における底部の外面に、複数の容器本体を積層する際のガイドとなるガイド凸部が設けられていることを特徴とする請求項１に記載の鉄筋コンクリート製角型保管容器。
【請求項３】
前記容器本体における側壁部の少なくとも一つの外面が、中央部が帯状に凹んだ凹凸形状となっていることを特徴とする請求項１又は２に記載の鉄筋コンクリート製角型保管容器。
【請求項４】
前記本体容器における側壁部の少なくとも一つの外面に、容器本体同士を連結固定する締結バンドを取り付けるためのインサートが設けられていることを特徴とする請求項１〜３のいずれか一項に記載の鉄筋コンクリート製角型保管容器。
【請求項５】
前記鉄筋コンクリートにおけるコンクリートが密度２．３ｔ／ｍ３以上の普通コンクリートもしくは重量コンクリートであることを特徴とする請求項１〜４のいずれか一項に記載の鉄筋コンクリート製角型保管容器。
【請求項６】
請求項２に記載の鉄筋コンクリート製角型保管容器を用いた鉄筋コンクリート製角型保管容器の積層構造であって、前記鉄筋コンクリート製角型保管容器の容器本体を、前記ガイド凸部が該容器本体の開口上部に嵌るようにして複数段積み重ね、最上段の容器本体の開口を前記蓋体で蓋をしてなる鉄筋コンクリート製角型保管容器の積層構造。
【請求項７】
請求項３に記載の容器本体における側壁部の少なくとも一つの外面が、中央部が帯状に凹んだ凹凸形状となっている鉄筋コンクリート製角型保管容器を用いた請求項４に記載の鉄筋コンクリート製角型保管容器の積層構造であって、複数の前記鉄筋コンクリート製角型保管容器を、容器本体の側壁部の角部外面が接するようにして蓋をした状態で横に並べ、隣接する容器本体を締結バンドで連結固定し、同様の構造のものを高さ方向に複数段積層し、高さ方向に載置された各鉄筋コンクリート製角型保管容器の容器本体同士を締結バンドで連結固定してなる鉄筋コンクリート製角型保管容器の積層構造。
【考案の詳細な説明】
【技術分野】
【０００１】
本考案は、放射能被曝により汚染された汚泥、該汚泥を焼却処理して得られる焼却灰、土砂、震災瓦礫等の放射能汚染物質を一時的もしくは短〜中期的に保管するための鉄筋コンクリート製角型保管容器に関するものである。
【背景技術】
【０００２】
東日本大震災に端を発する福島第一原発の事故により、日本の各地に放射性セシウム、放射性ヨウ素、放射性ストロンチウム等の放射性物質（放射能）が飛散し甚大な被害をもたらしている。該放射性物質は風によって運ばれ土壌表面、震災瓦礫、植物、稲藁等の様々なものに被着したり、雨水を汚染することによって下水道管に流れ込み下水処理施設の汚泥や該汚泥を焼却処理して得られる焼却灰に混入したりして、様々な放射能汚染物質を大量に生み出している。
【０００３】
しかし、大量に発生するこれら放射能汚染物質を処理する有効な方法を見出せていないのが実情である。例えば、校庭等の放射能汚染土壌は、緊急処置として、放射能汚染物質を含む表層土壌を掻き取り、掻き取った表層土壌を校庭の隅にシートを被せて山積みし処理している。また、汚泥や焼却灰は、通常はセメント原料としてセメント製造業者が引き取っているが、放射能に汚染されたものに対して国が処分できる明確な基準を示さず、セメント製造業者が受け取りを拒否している。
【０００４】
したがって、行き場のない放射能汚染汚泥・焼却灰は、緊急措置として、フレコンバックに入れシートを被せて通路の壁際等に放置している。しかし、この方法での処理も限界に近づいており放射能防護・遮蔽も不十分なため作業員、付近の住民、その他関係者に不安が広がっている。
【０００５】
一方、従来から、原子力発電所等の原子力関連処理施設で発生する放射性廃棄物を処理するための容器が考えられてきており、キャニスタ、ドラム缶等の鋼製円筒容器、鋼製角型容器、軽量角型ＰＩＣ容器、コンクリート製容器等、様々な材質・構造のものがある。
【０００６】
コンクリート製角型容器としては特許文献１、特許文献２に示すものがある。特許文献１のものは高耐久性を有する比較的小型なコンクリート製容器であり、少なくともセメント、ポゾラン質微粉末、粒径２ｍｍ以下の細骨材、減水剤、及び水を含む配合物の硬化体からなるものである。
【０００７】
また、特許文献２のものは廃棄物収納用空間を有し、かつ、外形が略直方体状であるコンクリート製の容器本体部と、この容器本体部の下面に、前記容器本体部に対して一体的に設けられたコンクリート製の脚部とを具備し、落下時に作用する衝撃力を前記脚部が損壊されることによって吸収するよう構成されてなるものである。
【先行技術文献】
【特許文献】
【０００８】
【特許文献１】特開２００４−３１５３０６号公報
【特許文献２】特開平１０−２９７７０３号公報
【考案の概要】
【考案が解決しようとする課題】
【０００９】
上記の通り、放射性物質（放射能）により汚染された放射能汚染土壌、放射能汚染汚泥・焼却灰等の放射能汚染物質を安価に大量処理できる保管容器が無いため野積みに近い状態となっている。原子力関連処理施設で発生する様々な放射性廃棄物を処理するための容器はあるが、小型で収納容積が小さかったり、使用済み核燃料や高レベル廃液等の高レベル放射性廃棄物を収納するため構造が複雑で高価であったりして前記放射能汚染物質を安価に大量処理できるものではない。
【００１０】
特許文献１のものは高耐久性であるもののポゾラン質微粉末や炭素繊維等の繊維を用いているので製造コストが高くなり大型容器を大量生産するのには適さない。特許文献２のものも脚部を設けたり補強材として炭素繊維を用いたりしているので製造コストが高くなり大型容器を大量生産するのには適さない。また、放射能汚染物質の収納については何ら考慮されていない。
【００１１】
福島第一原発事故のように放射性物質（放射能）の飛散により放射能が付着した放射能被曝して放射能汚染物質が新たに大量発生することはこれまで想定されていないため、二次的放射性廃棄物であるこの放射能汚染物質の被害からとりあえず身を守るべく、放射能汚染物質を一時的もしくは短〜中期的に保管するための安価な容器はない。
【００１２】
本考案は上述のような課題の解決を図ったのものであり、放射性物質より発生した大量の放射能汚染物質を一時的もしくは短〜中期的に保管するための安価な鉄筋コンクリート製角型保管容器を提供することを目的とする。
【課題を解決するための手段】
【００１３】
請求項１に係る考案は、「放射能汚染物質を一時的もしくは短〜中期的に保管するための収納空間の容積が１ｍ３以上の鉄筋コンクリート製角型保管容器であって、底部と側壁部とを一体成形してなる上面開口で鉄筋コンクリート製の容器本体と該開口に蓋をするための鉄筋コンクリート製蓋体と前記蓋体を前記容器本体に固定するための複数の連結プレートを備え、前記容器本体における底部と側壁部及び蓋体の各最小厚が１３〜１８ｃｍであることを特徴とする鉄筋コンクリート製角型保管容器」である。
【００１４】
本考案の鉄筋コンクリート製角型保管容器は放射能汚染物質を一時的もしくは短〜中期的に保管するための専用容器である。一時的とは１年未満、短〜中期的とは１〜２０年程度である。保管後は最終処分施設で埋設処分するか放射能汚染物質を取出して再処理施設で再処理し再利用を図る。
【００１５】
本考案で言う放射能汚染物質とは、原子力発電所等の原子力関連施設での事故等により拡散した放射性セシウム、放射性ヨウ素、放射性ストロンチウム等の放射性物質により汚染された汚泥、該汚泥を焼却処理して得られる焼却灰、土砂、震災瓦礫、草木等の二次的放射性物質である。
【００１６】
容器を鉄筋コンクリート製とするのは、前記放射能汚染物質を大量処理できる安価で耐久性のある大型容器を大量生産できるからである。また、容器の形状を角型に限定するのは、角型容器の方が保管場所での積層保管が容易となるからである。
【００１７】
なお、容器はコンクリート面が露出した打ちっ放しの鉄筋コンクリート製としても良いが、容器本体や蓋体のコンクリート表面に防水処理を施したり容器本体と蓋体との間に防水処理を施したりした水密構造の容器としても良い。本考案の鉄筋コンクリート製角型保管容器とは、これら両方を含めたものを言う。
【００１８】
容器本体や蓋体のコンクリート表面における防水処理は、例えば、ゴムシートや塩ビシートやポリエチレンシート等によるシート防水材の貼着、ウレタン塗料やエポキシ塗料等の塗膜防水材、ポリマーセメントモルタル、アスファルト防水材等による被覆である。また、容器本体と蓋体との間の防水処理は、例えば、ゴム板等の止水部材や紐状シール部材等の容器本体と蓋体との間への装着である。
【００１９】
本考案の鉄筋コンクリート製角型保管容器は、収納空間の容積が１ｍ３以上の大型容器である。放射性物質（放射能）により汚染された放射能汚染土壌、放射能汚染汚泥は極めて大量に発生するので従来の放射性廃棄物の処理に用いられていた小〜中型の容器では効率良く安価に処理できない。
【００２０】
本考案の鉄筋コンクリート製角型保管容器は、底部と側壁部とを一体成形してなる上面開口で鉄筋コンクリート製の容器本体と該開口に蓋をするための鉄筋コンクリート製蓋体と前記蓋体を前記容器本体に固定するための複数の連結プレートを備える。容器本体は鉄筋コンクリート製の底部と側壁部が一体成形されたものなので強固である。蓋は鉄筋コンクリート製の蓋体の自重によりなされ、連結プレートにより容器本体に固定される。
【００２１】
蓋体の裏面側（容器本体の開口に面する側）には、蓋体を容器本体の上にスムーズかつ確実に設置するためのガイド凸部が設けられているのが好ましい。このガイド凸部は容器本体の開口上部にほとんどクリアランス無くスッポリ嵌る外寸で肉厚が１〜５ｃｍ程度であり、容器本体と一体成形されてなるものである。
【００２２】
連結プレートは蓋体の側面から容器本体の側壁部の上部外面に跨って取り付けられボルト等によって固定される。したがって、蓋体の側面と側壁部の上部外面にはボルト等を取り付けるためのインサートが設けられている。連結プレートの材質は加工し易く安価で耐久性のあるものであれば特に限定されない。通常は、金属製である。
【００２３】
本考案の鉄筋コンクリート製角型保管容器は肉厚容器であり、容器本体における底部と側壁部及び蓋体の各最小厚が１３〜１８ｃｍである。最小厚とは、例えば、蓋体の外周部と中央部で厚みが異なる場合、最も薄いところでの肉厚を言う。最小厚は１３〜１８ｃｍである。１３ｃｍ未満では配筋し難く、また放射能遮蔽性能が高く高耐久性の容器とし難い。１８ｃｍを超えると重くなりすぎて取り扱い難くコスト高となる。より好ましい厚みは１４〜１６ｃｍである。
【００２４】
請求項２に係る考案は、「前記容器本体における底部の外面に、複数の容器本体を積層する際のガイドとなるガイド凸部が設けられていることを特徴とする請求項１に記載の鉄筋コンクリート製角型保管容器」である。
【００２５】
請求項２に係る本考案の鉄筋コンクリート製角型保管容器は、敷地面積が狭い箇所で複数の容器を効率良く積層して保管すること想定して考案されたものであり、容器本体における底部の外面に複数の容器本体をスムーズかつ確実に積層する際のガイドとなるガイド凸部を設けたものである。このガイド凸部はコンクリート製であり、容器本体と一体成形されてなる。ガイド凸部の寸法は、必要に応じて上記蓋体の裏面に設けられる上記ガイド凸部と同じである。
【００２６】
請求項３に係る考案は、「前記容器本体における側壁部の少なくとも一つの外面が、中央部が帯状に凹んだ凹凸形状となっていることを特徴とする請求項１又は２に記載の鉄筋コンクリート製角型保管容器」である。
【００２７】
請求項３に係る本考案の鉄筋コンクリート製角型保管容器も複数の容器を効率良く確実に積層して保管すること想定して考案されたものであり、容器本体における側壁部の少なくとも一つの外面が、中央部が帯状に凹んだ凹凸形状となっているものである。このような形状にするのは、容器本体同士を連結固定する締結バンドを容器本体に取り付けるボルトの頭が飛び出して容器を並べた際にガタつきが生じるのを防ぐためである。したがって、凹みはボルトの頭が側壁部の外表面から飛び出す程度で良い。
【００２８】
請求項４に係る考案は、「前記本体容器における側壁部の少なくとも一つの外面に、容器本体同士を連結固定する締結バンドを取り付けるためのインサートが設けられていることを特徴とする請求項１〜３のいずれか一項に記載の鉄筋コンクリート製角型保管容器」である。
【００２９】
一箇所で本考案の鉄筋コンクリート製角型保管容器を多数保管する際、各容器を個々に平置きできるのであれば容器本体同士を締結バンドで連結固定する必要がないが、縦横に配置した積層構造体を構成する場合は、安全上、締結バンドで連結固定することが好ましい。したがって、積層構造体を構成する場合も想定して、各本体容器における側壁部の少なくとも一つの外面に、容器本体同士を連結固定する締結バンドを取り付けるためのインサートを設けておくことは好ましい。
【００３０】
請求項５に係る考案は、「前記鉄筋コンクリートにおけるコンクリートが密度２．３ｔ／ｍ３以上の普通コンクリートもしくは重量コンクリートであることを特徴とする請求項１〜４のいずれか一項に記載の鉄筋コンクリート製角型保管容器」である。
【００３１】
本考案の鉄筋コンクリート製角型保管容器に用いるコンクリートは、土木・建築分野で一般的に用いられているコンクリートであれば特に限定されないが、コストの面からは普通コンクリートが、放射能の遮蔽性能の面からは重量骨材を用いた重量コンクリートが好ましい。重量骨材は鉄鉱石や重晶石等の従来からコンクリート骨材として用いられている高比重の骨材である。また、コンクリートの密度が高い方が放射能の遮蔽性能が良いので、少なくとも２．３ｔ／ｍ３以上であるのが好ましい。重量コンクリートの場合は、密度３．０〜５．０ｔ／ｍ３が好ましい。
【００３２】
請求項６に係る考案は、「請求項２に記載の鉄筋コンクリート製角型保管容器を用いた鉄筋コンクリート製角型保管容器の積層構造であって、前記鉄筋コンクリート製角型保管容器の容器本体を、前記ガイド凸部が該容器本体の開口上部に嵌るようにして複数段積み重ね、最上段の容器本体の開口を前記蓋体で蓋をしてなる鉄筋コンクリート製角型保管容器の積層構造」である。
【００３３】
敷地面積の狭い保管場所で本考案の鉄筋コンクリート製角型保管容器を多数保管する場合、容器を複数段積み重ねた積層構造とするのが好ましく、この積層構造では上の容器本体の底部が下の容器本体に対して蓋の役目をするので必ずしも各容器に蓋体を備える必要はなく、最上段の容器本体の開口を蓋するための蓋体だけで良い。このような積層構造にすれば必要な蓋体を減らせるので効率良く積層できコスト低減もできる。
【００３４】
また、上記の通り、容器本体の底部が蓋の役目をするので、上記請求項２に記載の鉄筋コンクリート製角型保管容器を用いるのが好ましい。この容器を用いれば容器本体の底部外面に設けられたガイド凸部が直下の容器本体の開口上部に嵌るようにして積み重ねればよいので積層が容易かつ確実となり、安定した積層構造が得られる。
【００３５】
なお、前記ガイド凸部と前記直下の容器本体の開口上部との間に、上記容器本体と蓋体との間の防水処理と同様の処理を施しておくことは好ましい。
【００３６】
請求項７に係る考案は、「請求項３に記載の容器本体における側壁部の少なくとも一つの外面が、中央部が帯状に凹んだ凹凸形状となっている鉄筋コンクリート製角型保管容器を用いた請求項４に記載の鉄筋コンクリート製角型保管容器の積層構造であって、複数の前記鉄筋コンクリート製角型保管容器を、容器本体の側壁部の角部外面が接するようにして蓋をした状態で横に並べ、隣接する容器本体を締結バンドで連結固定し、同様の構造のものを高さ方向に複数段積層し、高さ方向に載置された各鉄筋コンクリート製角型保管容器の容器本体同士を締結バンドで連結固定してなる鉄筋コンクリート製角型保管容器の積層構造」である。
【００３７】
上記の通り、請求項３に記載の鉄筋コンクリート製角型保管容器は複数の容器を効率良く確実に積層して保管すること想定して考案されたものであるからして、この容器を用いることが好ましい。また、地震等で積層構造が大きく崩れたりしないよう容器本体同士を締結バンドで連結固定する。そのため、請求項３に記載の鉄筋コンクリート製角型保管容器に請求項４に記載のインサートを設けたものを使用する。
【００３８】
積層構造は、複数の鉄筋コンクリート製角型保管容器を、容器本体の側壁部の角部外面が接するようにして蓋をした状態で横に並べ、隣接する容器本体を締結バンドで連結固定し、同様の構造のものを高さ方向に複数段積層し、高さ方向に載置された各鉄筋コンクリート製角型保管容器の容器本体同士を締結バンドで連結固定した構造である。締結バンドはボルトを通す穴のあいたプレートまたはシートであり、強靭で耐久性のある材質のものであれば特に限定されない。金属、炭素繊維などの材質のものが使える。
【考案の効果】
【００３９】
本考案の鉄筋コンクリート製角型保管容器を用いれば、放射能汚染物質が大量発生したとしても、これを直ぐに移送し所定の場所で一時的もしくは短〜中期的に保管することができるので、放射能汚染物質の発生場所での作業員や付近の住民は、放射能汚染物質に起因する放射能被曝をとりあえず防ぐことができる。また、本考案の鉄筋コンクリート製角型保管容器は普通鉄筋コンクリートによる単純な構造の容器なので安価に大量供給できる。
【図面の簡単な説明】
【００４０】
【図１】本考案に係る鉄筋コンクリート製角型容器の概略図であり、（ａ）は蓋体の容器本体への設置イメージ図、（ｂ）は容器の吊りイメージ図である。
【図２】本考案に係る鉄筋コンクリート製角型容器における容器本体の概略図であり、（ａ）は平面図、（ｂ）は側面図である。
【図３】本考案に係る鉄筋コンクリート製角型容器における蓋体の概略図であり、（ａ）は平面図、（ｂ）は側面図である。
【図４】本考案に係る鉄筋コンクリート製角型容器における蓋体と容器本体との連結構造の一例を示す図であり、（ａ）は構造の概略を示す断面図、（ｂ）は連結プレートの一例を示す図である。
【図５】本考案に係る鉄筋コンクリート製角型容器における蓋体と容器本体との連結構造の他の例を示す断面図であり、（ａ）は段差を設けた例、（ｂ）は凹凸による嵌合の例である。
【図６】本考案に係る鉄筋コンクリート製角型容器における鉄筋の配筋例（シングル配筋）を示す図であり、（ａ）は容器本体の平面図、（ｂ）は容器本体の側面図、（ｃ）は蓋体の平面図、（ｄ）は蓋体の側面図である。
【図７】本考案に係る鉄筋コンクリート製角型容器における容器本体の製造工程の一例（ａ）〜（ｇ）を示す図である。
【図８】本考案に係る鉄筋コンクリート製角型容器における蓋体の製造工程の一例（ｈ）〜（ｍ）を示す図である。
【図９】本考案に係る鉄筋コンクリート製角型容器の一般的積層構造の側面図である。
【図１０】容器本体における底部外面にガイド凸部を設けた本考案に係る鉄筋コンクリート製角型容器の積層構造の側面図である。
【図１１】容器本体における側壁部外面の中央部が帯状に凹んだ凹凸形状となっている本考案の鉄筋コンクリート製角型保管容器を締結バンドで連結固定した積層構造を示す図であり、（ａ）は平面図、（ｂ）は側面図である。
【考案を実施するための形態】
【００４１】
以下、図面に基づいて、本考案の実施の形態を詳細に説明する。
【００４２】
Ａ．本考案の鉄筋コンクリート製角型容器
[容器の構造]
図１は本考案の鉄筋コンクリート製角型容器の概略図であり、（ａ）は蓋体の容器本体への設置イメージ図、（ｂ）は容器の吊りイメージ図である。
【００４３】
図１（ａ）に示すように、本考案の鉄筋コンクリート製角型容器１は、一体成形されてなる容器本体２と蓋体３からなり、いずれも鉄筋コンクリート製である。容器本体２の側面上部と蓋体３の側面には連結プレート６を取り付けるためのインサート４が設けられている。
【００４４】
また、容器本体２の側面上部には鉄筋コンクリート製角型容器１を吊る吊り具７を取り付けるための吊り孔５も設けられている。この吊り孔５は必要に応じて蓋体にも設けられる。（図示省略）
【００４５】
容器形状を角型とするのは、角型容器の方が保管場所での積層保管が容易となるからである。縦×横×高さの各寸法は、収納空間の容積が１ｍ３以上であれば特に限定されない。収納空間の容積を１ｍ３以上とするのは、本考案の鉄筋コンクリート製角型容器が放射能汚染物質を一時的もしくは短〜中期的に保管するための専用容器であり、放射能汚染物質を大量処理できる大型容器でなければならないからである。
【００４６】
図１（ｂ）に示すように、容器本体２と蓋体３は連結プレート６により連結固定される。
【００４７】
連結プレート６やこれの取付ボルトの頭が蓋体３と容器本体２の側面の外表面から突出しないよう連結プレート６の設置個所を少し凹状にしておくことは好ましい。連結プレート６やこれの取付ボルトの頭が突出していると複数の容器を並べて保管する際、容器同士を密接させて並べ難くなるので安定した容器の積層構造が得難くなる。蓋をした鉄筋コンクリート製角型容器１は吊り具７により吊って移動する。
【００４８】
図２は本考案に係る鉄筋コンクリート製角型容器における容器本体の概略図であり、（ａ）は平面図、（ｂ）は側面図である。
【００４９】
容器本体２は鉄筋コンクリート８からなり開口部９を有する。側壁部には連結プレートを取り付けるためのインサート４や吊り具を取り付けるための吊り孔５が適宜設けられている。側壁部と底部の厚みは、いずれも１３〜１８ｃｍである。１３ｃｍ未満では配筋し難く、また放射能遮蔽性能が高く高耐久性の容器とし難い。１８ｃｍを超えると重くなりすぎて取り扱い難くコスト高となる。より好ましい厚みは１４〜１６ｃｍである。
【００５０】
容器内外面の少なくともいずれかには、放射能遮蔽層や防水層を設けておくのは好ましい。特に、ゴムシートや塩ビシートやポリエチレンシート等によるシート防水材の貼着、ウレタン塗料やエポキシ塗料等の塗膜防水材、ポリマーセメントモルタル、アスファルト防水材等による被覆といった防水処理を施しておくのが好ましい。（図示省略）収納する放射能汚染物質は、収納空間部１０に直接入れても良いが、汚泥や焼却灰等の粉粒体は先にフレコンバックやビニール袋に入れ、これを収納空間部１０に入れるのが好ましい。
【００５１】
図３は本考案に係る鉄筋コンクリート製角型容器における蓋体の概略図であり、（ａ）は平面図、（ｂ）は側面図である。
【００５２】
蓋体３も鉄筋コンクリート８からなり、厚み（最小厚）は１３〜１８ｃｍである。側面には連結プレートを取り付けるためのインサート４が設けられている。また、裏面側にはガイド凸部１１が一体成形して設けられている。このガイド凸部１１を設けることにより蓋体３の容器本体２への設置がスムーズかつ確実になる。ガイド凸部１１の厚みは５ｃｍ程度で良い。
【００５３】
蓋体の表裏面の少なくともいずれかにも、上記の容器本体と同様、放射能遮蔽層や防水層を設けておくのは好ましい。特に、上記容器本体と同様、ゴムシートや塩ビシートやポリエチレンシート等によるシート防水材の貼着、ウレタン塗料やエポキシ塗料等の塗膜防水材、ポリマーセメントモルタル、アスファルト防水材等による被覆といった防水処理を施しておくのが好ましい。（図示省略）
【００５４】
図４は本考案に係る鉄筋コンクリート製角型容器における蓋体と容器本体との連結構造の一例を示す図であり、（ａ）は構造の概略を示す断面図、（ｂ）は連結プレートの一例を示す図である。
【００５５】
蓋体３は容器本体２の開口部９にガイド凸部１１が嵌め込まれる形で設置され連結プレート１２により容器本体２に連結固定されている。連結プレート１２は図４（ｂ）に示す形状のボルト挿入孔（蓋体側）１４とボルト挿入孔（容器本体側）１５の２つの挿入孔がある金属板であり、蓋体３と容器本体２に設けられたインサート４にボルト１３を挿入して連結プレート１２を蓋体３と容器本体２に跨って取り付けることで蓋体３が連結固定されている。
【００５６】
蓋体３と容器本体２との間に止水部材１６を設けた水密構造とすることが好ましい。止水部材としては、天然ゴムゴム板、ブチルゴムやクロロプレンゴム等による紐状シール部材及びシーリング材などが挙げられる。
【００５７】
図５は本考案に係る鉄筋コンクリート製角型容器における蓋体と容器本体との連結構造の他の例を示す断面図であり、（ａ）は段差を設けた例、（ｂ）は凹凸による嵌合の例である。
【００５８】
蓋体３と容器本体２の接する面は、図４（ａ）のように平坦でもよいが、止水等の観点から図５（ａ）、図５（ｂ）のように段差や凹凸による嵌合形式しておくことは好ましい。また、更に上記止水部材を間の適当な位置に設けておいてもよい。（図示省略）蓋体３がガイド凸部１１を備える場合は、ガイド凸部１１の側面に、ガイド凸部１１がスムーズに開口部９に嵌められるな形で天然ゴムゴム板、ブチルゴムやクロロプレンゴム等による紐状シール部材及びシーリング材などの止水部材を設けた水密構造としておいてもよい。（図示省略）
【００５９】
[使用コンクリート]
本考案の鉄筋コンクリート製角型容器に用いるコンクリートは、密度２．３ｔ／ｍ３以上の普通コンクリートもしくは重量コンクリートが好ましい。放射能汚染物質は概して大量に発生するので、これを処理するには多くの安価な容器が必要になるが、普通コンクリートを用いれば製造コストが抑えられるので安価な容器を大量供給し易くなる。
【００６０】
放射能汚染物質からの放射能量が多い場合は、処理コストが高くなっても安全上、放射能遮蔽性の高い重量コンクリートを用いるのが好ましい。重量コンクリートは一般骨材に代えて比重の高い鉄、重晶石、鉄鉱石などによる重量骨材を用いた密度が３．０〜５．０ｔ／ｍ３のコンクリートである。ガンマ線、エックス線などによる放射能はコンクリートの密度が高いほど遮蔽できる。普通コンクリートを用いた場合でも容器寸法と合わせて考えると、密度は２．３ｔ／ｍ３以上とするのがよい。
【００６１】
また、本考案の容器は上記コンクリートと鉄筋とからなる鉄筋コンクリート製である。鉄筋コンクリートにすることによって、容器の耐久性が高くなるとともに容器の重量も増すので放射能遮蔽性も向上する。
【００６２】
コンクリートの配合例を表１と表２に、これらコンクリートの品質・性能を表３と表４に示す。表１は使用材料例、表２は配合例、表３はコンクリートのフレッシュ性状、表４は硬化コンクリートの物性である。
【００６３】
【表１】
0003173433.tif 000003
【００６４】
【表２】
0003173433.tif 000004
【００６５】
【表３】
0003173433.tif 000005
【００６６】
【表４】
0003173433.tif 000006
【００６７】
コンクリートの圧縮強度は、標準養生での材令２８日で５０Ｎ／ｍｍ２以上であるのが好ましい。必要に応じて、シリカフューム、高炉スラグ、フライアッシュ等のセメント混和材を混和しても良い。また、寒冷地などコンクリート凍結融解による劣化が懸念される場合はＡＥ剤を使用し、空気量が３〜６％のＡＥコンクリートを使用してもよい。
【００６８】
[鉄筋の配筋]
図６に本考案に係る鉄筋コンクリート製角型容器における鉄筋の配筋例（シングル配筋）を示す。（ａ）は容器本体の平面図、（ｂ）は容器本体の側面図、（ｃ）は蓋体の平面図、（ｄ）は蓋体の側面図である。
【００６９】
容器本体２では、鉄筋は主筋２１と配力筋２２とハンチ筋２３からなり、図のように配筋される。主筋はＤ１３〜Ｄ２５を用い配力筋はＤ１０〜Ｄ２２を用いるのが好ましい。鉄筋ピッチは１００〜２５０ｍｍである。種類はＳＤ２９５Ａ又はＳＤ３４５を用いるのが好ましい。
【００７０】
本例はシングル配筋であるが、必要に応じてダブル配筋にしてもよい。（図示省略）蓋体３では、鉄筋は主筋２１と配力筋２２からなり、図のように配筋される。種類はＳＤ２９５Ａ又はＳＤ３４５を用いるのが好ましい。
【００７１】
[容器の製造]
図７に本考案に係る鉄筋コンクリート製角型容器における容器本体の製造工程の一例を示す。容器本体の製造工程は（ａ）〜（ｇ）である。
【００７２】
まず、鉄筋を配筋してそれに外枠と内枠からなる型枠を組み（ａ）、外枠と内枠の間に上記重量コンクリート又は普通コンクリートを打設し（ｂ）、表面（容器本体の底面）をコテ仕上して打設を完了する。（ｃ）その後、シートを被せシート内に蒸気を噴入して蒸気養生する。（ｄ）蒸気養生後の適当な時期に脱型し（ｅ）（ｆ）、反転して容器本体を得る。（ｇ）必要に応じて、表面に防水処理が施される。（図示省略）
【００７３】
図８に本考案に係る鉄筋コンクリート製角型容器における蓋体の製造工程の一例を示す。容器本体の製造工程は（ｈ）〜（ｍ）である。
【００７４】
まず、型枠をセットし鉄筋を配筋する。（ｈ）上記重量コンクリート又は普通コンクリートを打設し（ｉ）、表面（蓋体の上面）をコテ仕上して打設を完了する。（ｊ）その後、シートを被せシート内に蒸気を噴入して蒸気養生する。（ｋ）蒸気養生後の適当な時期に脱型し（ｌ）、蓋体を得る。（ｍ）必要に応じて、表面に防水処理が施される。（図示省略）
【００７５】
Ｂ．本考案の各種容器の積層構造
図９に本考案に係る鉄筋コンクリート製角型容器の一般的積層構造の例（側面図）を示す。鉄筋コンクリート製角型容器１の形状はやや平たい縦長であり、縦と横の長さが図に示すように向きを変えて積み上げてもぴったりと納まる寸法となっている。この例では、１２個の容器を３段積みにしており、２段目の向きを変えた積層構造１７となっている。      
【００７６】
蓋体３と容器本体２は連結プレート６により連結固定されている。連結プレート６は側壁部の外面から突出しないようにして取り付けられている。この例では、蓋体３と容器本体２の両方に吊り孔５が設けてある。吊り孔５に吊り具を取り付けフォークリフト等で吊って移動し、このような構造に積み上げる。なお、より安全を図るため、各容器に締結バンド用のインサートを設け、各容器同士を締結バンドで連結固定してもよい。（図示省略、図１０参照）
【００７７】
図１０は容器本体における底部外面にガイド凸部を設けた本考案に係る鉄筋コンクリート製角型容器の積層構造の側面図である。
【００７８】
鉄筋コンクリート製角型容器１の形状、寸法は図９のものとほぼ同じであるが、容器本体２の底外面にガイド凸部１１が一体成形して設けてある。この例では、容器３個を単に３段積み重ねた積層構造１７であるが、１段目の容器に蓋体３で蓋をすることなく２段目の容器が積み重ねられ、２段目の容器も蓋体３で蓋をすることなく３段目の容器が積み重ねられ、最上段である３段目の容器のみが蓋体３で蓋をされた積層構造１７となっている。  
【００７９】
１段目と２段目の容器本体同士、２段目と３段目の容器本体同士も蓋体３と同様に連結プレート６で連結固定されている。このように、容器を積層した場合は上の容器が下の容器の蓋の役割をするので、収納保管物の種類によっては必ずしも各容器に蓋体を設ける必要はなく、このような構造で積層することにより積層の効率化、処理コストの削減が図れる。
【００８０】
なお、容器本体同士が重なり上のガイド凸部１１が下の容器本体の開口部に嵌る箇所にも、前述の容器本体と蓋体との間におけるのと同様の防水処理を施しておくことは好ましい。（図示省略）
【００８１】
図１１に容器本体における側壁部外面の中央部が帯状に凹んだ凹凸形状となっている本考案の鉄筋コンクリート製角型保管容器を締結バンドで連結固定した積層構造を示す。（ａ）は平面図、（ｂ）は側面図である。
【００８２】
考案の鉄筋コンクリート製角型保管容器１は平面が略正方形の角型容器であり、容器本体２における側壁部の少なくとも一つの外面が、中央部が帯状に凹んだ帯状凹部２０を有する凹凸形状となっている。容器本体２の側壁部には締結バンド１９を取り付けるためのインサート１８が設けられている。
【００８３】
この例では、容器１２個を一列３段重ねした積層構造１７となっている、各容器には蓋体３が設けられ容器本体２と蓋体３が連結プレート６で連結固定されている。連結プレート６は側壁部の外面から突出しないようにして取り付けられている。水平方向の隣り合う容器本体２同士は側壁部の上部と下部が接する形で２本の短い締結バンド１９で連結固定されている。また、垂直方向の３つの容器本体２同士は長い締結バンド１９で連結固定されている。
【００８４】
この長い締結バンド１９は外周の正面、裏面、側面の各所定位置に設けられている。このように締結バンド１９で連結固定することにより地震等の振動にも強い強固な積層構造が得られる。また、締結バンド１９はボルトを締結バンド１９の穴を通してインサートに取付けることにより固定されるが、ボルトの頭は帯状凹部２０に位置するので容器本体２の側壁部外面より突出しない。したがって、水平方向の隣り合う容器本体２同士の側壁部を安定して接触させた強固な積層構造１７が得られる。
【符号の説明】
【００８５】
１…鉄筋コンクリート製角型容器
２…容器本体
３…蓋体
４…インサート（連結プレート用）
５…吊り孔
６…連結プレート
７…吊り具
８…鉄筋コンクリート
９…開口部
１０…収納空間部
１１…ガイド凸部
１２…連結プレート
１３…ボルト
１４…ボルト挿入孔（蓋体側）
１５…ボルト挿入孔（容器本体側）
１６…止水部材
１７…（鉄筋コンクリート製角型容器の）積層構造
１８…インサート（締結バンド用）
１９…締結バンド
２０…帯状凹部
２１…主筋
２２…配力筋
２３…ハンチ筋
【図１】
0003173433.tif 000007
【図２】
0003173433.tif 000008
【図３】
0003173433.tif 000009
【図４】
0003173433.tif 000010
【図５】
0003173433.tif 000011
【図６】
0003173433.tif 000012
【図７】
0003173433.tif 000013
【図８】
0003173433.tif 000014
【図９】
0003173433.tif 000015
【図１０】
0003173433.tif 000016
【図１１】
0003173433.tif 000017
【手続補正書】
【提出日】平成23年11月28日(2011.11.28)
【手続補正１】
【補正対象書類名】実用新案登録請求の範囲
【補正対象項目名】全文
【補正方法】変更
【補正の内容】
【実用新案登録請求の範囲】
【請求項１】
放射能汚染物質を一時的もしくは短〜中期的に保管するための収納空間の容積が１ｍ３以上の鉄筋コンクリート製角型保管容器であって、底部と側壁部とを一体成形してなる上面開口で鉄筋コンクリート製の容器本体と、該開口に蓋をするための鉄筋コンクリート製蓋体と、前記容器本体と前記蓋体に跨って配置され、前記容器本体の側壁部外面と前記蓋体の側面に埋め込まれたインサートに対しボルトで固定することにより前記蓋体を前記容器本体に固定するための複数の連結プレートとを備え、前記容器本体における底部と側壁部及び蓋体の各最小厚が１３〜１８ｃｍであることを特徴とする鉄筋コンクリート製角型保管容器。
【請求項２】
前記容器本体における底部の外面に、複数の容器本体を積層する際のガイドとなるガイド凸部が設けられていることを特徴とする請求項１に記載の鉄筋コンクリート製角型保管容器。
【請求項３】
前記容器本体における側壁部の少なくとも一つの外面が、中央部が帯状に凹んだ凹凸形状となっていることを特徴とする請求項１又は２に記載の鉄筋コンクリート製角型保管容器。
【請求項４】
容器本体同士に跨って配置される締結バンドを、それぞれの容器本体における側壁部の少なくとも一つの外面に埋め込まれたインサートに対しボルトで固定することにより、複数の容器本体同士を連結固定するようにしたことを特徴とする請求項１〜３のいずれか一項に記載の鉄筋コンクリート製角型保管容器。
【請求項５】
前記鉄筋コンクリートにおけるコンクリートが密度２．３ｔ／ｍ３以上の普通コンクリートもしくは重量コンクリートであることを特徴とする請求項１〜４のいずれか一項に記載の鉄筋コンクリート製角型保管容器。
【請求項６】
請求項２に記載の鉄筋コンクリート製角型保管容器を用いた鉄筋コンクリート製角型保管容器の積層構造であって、前記鉄筋コンクリート製角型保管容器の容器本体を、前記ガイド凸部が該容器本体の開口上部に嵌るようにして複数段積み重ね、最上段の容器本体の開口を前記蓋体で蓋をしてなる鉄筋コンクリート製角型保管容器の積層構造。
【請求項７】
容器本体における側壁部の少なくとも一つの外面が、中央部が帯状に凹んだ凹凸形状となっている鉄筋コンクリート製角型保管容器を用いた請求項４に記載の鉄筋コンクリート製角型保管容器の積層構造であって、複数の前記鉄筋コンクリート製角型保管容器を、容器本体の側壁部の角部外面が接するようにして蓋をした状態で横に並べ、隣接する容器本体を前記インサートとボルトを介して前記締結バンドで連結固定し、同様の構造のものを高さ方向に複数段積層し、高さ方向に載置された各鉄筋コンクリート製角型保管容器の容器本体同士を締結バンドで連結固定してなる鉄筋コンクリート製角型保管容器の積層構造。